(57)【要約】      （修正有）【課題】緊急時対策物資でありながら外観体裁が良好であり、かつ、使用時の着座安定性を有し、更に組み立て、分解が簡略容易である強化段ボール製の簡易トイレを提供する。【解決手段】強化段ボール製の簡易トイレは、内装体３０をトレイ本体２内に装着する。トレイ本体２は、前片１２、一対の側片１３及び中央部に排便用開口部１５を設けた便座内蓋片１４を具備するトイレ外装体１１と、背板片及び添着片２３を具備する背面体２１とからなる。内装体３０は、一対の当接片３３を設けた四角形状の挿入背板片、挿入背板片の上辺に設けた外蓋片３５及び挿入背板片の両側辺に設けた一対の挿入側片を具備する挿入体と、この挿入体に組み込む挿入補助体４１と、を具備する。座部となるとともに排便用開口部１５を具備する便座内蓋片１４を平坦配置に備え、便座内蓋片１４の上側を閉塞する外蓋片３５を開閉可能に備える。【選択図】図８
0003177324.tif 000002
【実用新案登録請求の範囲】
【請求項１】
強化段ボール製の簡易トイレであって、
四角形状の前片と、この前片の両側に折り曲げ可能に設けた高さ寸法が前記前片の高さ寸法よりも大きい四角形状の一対の側片と、前記前片の上辺に対し折り曲げ可能に設けた四角形状で中央部に排便用開口部を設けた便座内蓋片と、を具備するトイレ外装体と、上部を円弧状とした略四角形状に形成され、前記トイレ外装体の一対の側片を折り曲げた状態でその各端縁に当接させる背板片と、前記背板片の両側辺に各々折り曲げ可能に設けた一対の添着片と、を具備する背面体と、を具備し、前記一対の添着片を前記一対の側片の各外面に添着し仮止めすることにより構成した略直方体筒状のトイレ本体と、
両側の側片部に側方に各々突出する一対の当接片を設けた四角形状の挿入背板片と、前記挿入背板片の上辺に折り曲げ可能に設けた外蓋片と、前記挿入背板片の両側辺に対し折り曲げ可能に設けた四角形状の一対の挿入側片と、を具備する挿入体と、前記一対の挿入側片を折り曲げ平行にした状態で、一対の挿入側片間に配置する長方形状の挿入片部と、挿入片部の両側方に突出させ、前記トイレ外装体の一対の側片内壁に当接させる一対の挿入当接片部とを具備する挿入補助体と、を具備し、前記挿入体に挿入補助体を差し込み結合して構成した略直方体筒状の内装体と、
を有し、
前記内装体をトイレ本体内に装着して組み付けることにより、座部となるとともに排便用開口部を具備する前記便座内蓋片を平坦配置に備え、この便座内蓋片の両側を上方に突出するトイレ外装体の一対の側片により、後部を上方に突出する前記背板片により囲み、前記便座内蓋片の上側を閉塞する外蓋片を開閉可能に備える構成としたことを特徴とする強化段ボール製の簡易トイレ。
【請求項２】
強化段ボール製の簡易トイレであって、
四角形状の前片と、この前片の両側に折り曲げ可能に設けた高さ寸法が前記前片の高さ寸法よりも大きい四角形状の一対の側片と、前記前片の上辺に対し折り曲げ可能に設けた四角形状で中央部に排便用開口部を設け、この排便用開口部の周縁部に排便収納袋係止用の複数の凹溝穴を間隔を隔てて設けた便座内蓋片と、を具備するトイレ外装体と、上部を円弧状とした略四角形状に形成され、前記トイレ外装体の一対の側片を折り曲げた状態でその各端縁に当接させるとともに面ファスナーからなる小片を取り付けた背板片と、前記背板片の両側辺に各々折り曲げ可能に設けられ、面ファスナーからなる小片を用いて前記一対の側片に各々仮止めされる一対の添着片と、を具備する背面体と、を具備し、前記一対の添着片を前記一対の側片の各外面に添着し仮止めすることにより構成した略直方体筒状のトイレ本体と、
両側の側片部に側方に各々突出する一対の当接片を設けた四角形状の挿入背板片と、前記挿入背板片の上辺に折り曲げ可能に設けられ、前記背板片の面ファスナーからなる小片に接合する面ファスナーからなる小片を備えた外蓋片と、前記挿入背板片の両側辺に対し折り曲げ可能に設けた四角形状の一対の挿入側片と、を具備する挿入体と、前記一対の挿入側片を折り曲げ平行にした状態で、一対の挿入側片間に配置する長方形状の挿入片部と、挿入片部の両側方に突出させ、前記トイレ外装体の一対の側片内壁に当接させる一対の挿入当接片部とを具備する挿入補助体と、を具備し、前記挿入体に挿入補助体を差し込み結合して構成した略直方体筒状の内装体と、
を有し、
前記内装体をトイレ本体内に装着して組み付けることにより、座部となるとともに排便収納袋を係止可能な排便用開口部を具備する前記便座内蓋片を平坦配置に備え、この便座内蓋片の両側を上方に突出するトイレ外装体の一対の側片により、後部を上方に突出する前記背板片により囲み、前記便座内蓋片の上側を閉塞するとともに、前記前記背板片に仮止め可能な外蓋片を開閉可能に備える構成としたことを特徴とする強化段ボール製の簡易トイレ。
【請求項３】
強化段ボール製の簡易トイレであって、
四角形状の前片と、この前片の両側に折り曲げ可能に設けられ、各々の外面側に面ファスナーからなる小片を２個ずつ取り付けた高さ寸法が前記前片の高さ寸法よりも大きい一対の側片と、前記前片の上辺に対し折り曲げ可能に設けた四角形状で中央部に排便用開口部を設けるとともに、この排便用開口部の周縁部に排便収納袋係止用の複数の凹溝穴を間隔を隔てて設けた便座内蓋片と、前記前片と便座内蓋片との折り込みライン中央部に設けた差し込み受穴と、前記便座内蓋片の突出側の辺部に対して折り曲げ可能に設けた長方形状の便座内蓋片用止片と、前記便座内蓋片と便座内蓋片用止片との折り曲げライン中央に設けた受穴と、前記便座内蓋片用止片の突出側の辺部に所定の間隔で設けた一対の差し込み用凹溝穴と、を具備するトイレ外装体と、
上部を円弧状とした略四角形状に形成され、前記トイレ外装体の一対の側片を９０度折り曲げた状態で前記一対の側片の端縁に当接させるとともに、前記トイレ外装体に対面させる面の中央上部に取り付けた面ファスナーからなる小片を取り付けた背板片と、前記背板片の両側辺に各々折り曲げ可能に設けられ、９０度折り曲げた状態で前記トイレ外装体の一対の側片の各外面に内面側を添着させる長方形状で前記側片と同一の高さ寸法の一対の添着片と、前記一対の添着片の各内面に各々２個ずつ取り付けられ、前記トイレ外装体の一対の側片に取り付けた面ファスナーからなる小片と接合して前記一対の添着片を各々前記トイレ外装体に仮止めする面ファスナーからなる小片と、を具備する背面体と、を有し、前記一対の添着片を前記一対の側片の各外面に内面側を添着し仮止めすることにより構成した略直方体筒状のトイレ本体と、
両側の側片部に側方に各々突出する一対の当接片を設けた四角形状の挿入背板片と、前記挿入背板片の上辺に折り曲げ可能に設けた四角形状で突出側の辺部中央に前記トイレ外装体の差し込み受穴に差し込む差し込み片を突設した外蓋片と、前記外蓋片を折り曲げない状態で外面となる面部の略中央部に取り付けた前記背板片に設けた面ファスナーからなる小片に接合させる面ファスナーからなる小片と、前記挿入背板片の両側辺に対し折り曲げ可能に設けた四角形状の一対の挿入側片と、前記一対の挿入側片の各上辺における前記挿入背板片に近い位置に対称配置に設けられ、前記便座内蓋片用止辺に所定の間隔で設けた差し込み用凹溝穴と嵌め合わされる一対の受凹溝穴と、前記一対の挿入側片の各上辺における突出端に近い位置に対称配置に設けた一対の突出端側受凹溝穴と、を具備する挿入体と、平板状で、前記一対の挿入側片を９０度折り曲げ平行にした状態で、一対の挿入側片間に配置する長方形状の挿入片部と、この挿入片部と一体形成されるとともに、挿入片部の両側方に突出させ、前記トイレ外装体の一対の側片内壁に当接させる長方形状で側辺寸法が前記挿入片部より小さい一対の挿入当接片部と、前記挿入片部と一対の挿入当接片部との各境界部分に側辺方向に設けた前記各突出端側受凹溝穴に嵌め合わされる一対の差し込み用凹溝穴と、を具備する挿入補助体とにより構成した直方体筒状で前記トイレ本体より小寸法の内装体と、
を有し、
前記内装体をトイレ本体内に装着して、座部となるとともに排便収納袋を係止可能な排便用開口部を具備する便座内蓋片を平坦配置に備え、この便座内蓋片の両側を上方に突出するトイレ外装体の一対の側片により、後部を上方に突出する前記背板片により囲み、前記便座内蓋片の上側を閉塞するとともに、前記前記背板片に仮止め可能な外蓋片を開閉可能に備える構成としたことを特徴とする強化段ボール製の簡易トイレ。
【考案の詳細な説明】
【技術分野】
【０００１】
本考案は、強化段ボール製の簡易トイレに関し、詳しくは、緊急時対策物資でありながら外観体裁が良好であり、かつ、使用時の着座安定性を有し、更に構成要素点数が少なく、組み立て、分解が簡略容易である強化段ボール製の簡易トイレに関するものである。
【背景技術】
【０００２】
強化段ボール等の段ボール材は、その組み立て容易性、加工容易性、廃棄容易性等の観点から例えば大震災発生時の際の緊急時対策物資である簡易トイレ等として構成され、実用に供されている。
【０００３】
例えば、特許文献１には、段ボール材を用いて筒状直方体状に形成した外枠体及びこの外枠体内に嵌装する同じく筒状直方体状形成され、仕切板により補強した内枠体との２重構造により直方体状の本体を構成し、本体の上部から内方部分にわたって排泄用袋を取り付け、本体の上部に排泄用袋の上辺部分が露出する状態で段ボール材からなりトイレ穴を有する被せ蓋を被せ、更にトイレ穴を覆う開閉可能な段ボール材からなる覆い蓋を備える構成とした簡易トイレが提案されている。
【０００４】
しかし、特許文献１の簡易トイレの場合、その外観形状が単純な直方体状であり、排泄用袋が本体の外周部に露出する構成であるため、緊急時対策物資であることを考慮しても外観体裁が必ずしも良好でなく、かつ、本体上面が平坦部分のみであり使用時の着座安定性に欠けるものと推定される。
【０００５】
また、特許文献１の簡易トイレの場合、使用する構成要素点数が多く、組み立てが煩雑であるものと推定される。
【先行技術文献】
【特許文献】
【０００６】
【特許文献１】特開平９−２２０１７３号公報
【考案の概要】
【考案が解決しようとする課題】
【０００７】
本考案が解決しようとする問題点は、緊急時対策物資でありながら外観体裁が良好であり、かつ、使用時の着座安定性を有し、更に構成要素点数が少なく、組み立て、分解が簡略容易であるような強化段ボール製の簡易トイレが存在しない点である。
【課題を解決するための手段】
【０００８】
本考案に係る強化段ボール製の簡易トイレは、四角形状の前片と、この前片の両側に折り曲げ可能に設けた高さ寸法が前記前片の高さ寸法よりも大きい四角形状の一対の側片と、前記前片の上辺に対し折り曲げ可能に設けた四角形状で中央部に排便用開口部を設けた便座内蓋片と、を具備するトイレ外装体と、上部を円弧状とした略四角形状に形成され、前記トイレ外装体の一対の側片を折り曲げた状態でその各端縁に当接させる背板片と、前記背板片の両側辺に各々折り曲げ可能に設けた一対の添着片と、を具備する背面体と、を具備し、前記一対の添着片を前記一対の側片の各外面に添着し仮止めすることにより構成した略直方体筒状のトイレ本体と、両側の側片部に側方に各々突出する一対の当接片を設けた四角形状の挿入背板片と、前記挿入背板片の上辺に折り曲げ可能に設けた外蓋片と、前記挿入背板片の両側辺に対し折り曲げ可能に設けた四角形状の一対の挿入側片と、を具備する挿入体と、前記一対の挿入側片を折り曲げ平行にした状態で、一対の挿入側片間に配置する長方形状の挿入片部と、挿入片部の両側方に突出させ、前記トイレ外装体の一対の側片内壁に当接させる一対の挿入当接片部とを具備する挿入補助体と、を具備し、前記挿入体に挿入補助体を差し込み結合して構成した略直方体筒状の内装体と、を有し、前記内装体をトイレ本体内に装着して組み付けることにより、座部となるとともに排便用開口部を具備する前記便座内蓋片を平坦配置に備え、この便座内蓋片の両側を上方に突出するトイレ外装体の一対の側片により、後部を上方に突出する前記背板片により囲み、前記便座内蓋片の上側を閉塞する外蓋片を開閉可能に備える構成としたことを最も主要な特徴とする。
【考案の効果】
【０００９】
請求項１記載の考案によれば、緊急時対策物資でありながら外観体裁が良好であり、かつ、使用時の着座安定性を有し、更に構成要素点数が少なく、組み立て、分解も簡略容易で実用価値の大きい強化段ボール製の簡易トイレを実現し提供することができる。
【００１０】
請求項２記載の考案によれば、トイレ外装体と背面体とにより簡易トイレ本体を構成し、この簡易トイレ本体内に挿入体と挿入補助体とにより構成した内装体を組み込み、座部となるとともに排便収納袋を係止可能な排便用開口部を具備する便座内蓋片を平坦配置に備え、この便座内蓋片の両側を上方に突出するトイレ外装体の一対の側片により、後部を上方に突出する前記背板片により囲み、便座内蓋片の上側を閉塞するとともに、前記前記背板片に仮止め可能な外蓋片を開閉可能に備える構成の基に、前記請求項１記載の考案と同様、緊急時対策物資でありながら外観体裁が良好であり、かつ、使用時の着座安定性を有し、更に構成要素点数が少なく、組み立て、分解も簡略容易で実用価値の大きい強化段ボール製の簡易トイレを実現し提供することができる。
【００１１】
請求項３記載の考案によれば、トイレ外装体と背面体とを面ファスナーを用いて仮止めして簡易トイレ本体を構成し、この簡易トイレ本体内に挿入体と挿入補助体とを組み付けて構成した内装体を組み込み、座部となるとともに排便収納袋を係止可能な排便用開口部を具備する便座内蓋片を平坦配置に備え、この便座内蓋片の両側を上方に突出するトイレ外装体の一対の側片により、後部を上方に突出する前記背板片により囲み、便座内蓋片の上側を閉塞するとともに、前記前記背板片に仮止め可能な外蓋片を開閉可能に、かつ、仮止め可能に備える構成の基に、前記請求項２記載の考案と同様、緊急時対策物資でありながら外観体裁が良好であり、かつ、使用時の着座安定性を有し、更に構成要素点数が少なく、組み立て、分解も簡略容易で実用価値の大きい強化段ボール製の簡易トイレを実現し提供することができる。
【図面の簡単な説明】
【００１２】
【図１】図１は本考案の実施例に係る強化段ボール製の簡易トイレの外観を示す概略斜視図である。
【図２】図２は本実施例に係る強化段ボール製の簡易トイレのトイレ外装体を示す概略平面図である。
【図３】図２は本実施例に係る強化段ボール製の簡易トイレの背面体を示す概略平面図である。
【図４】図４は本実施例に係る強化段ボール製の簡易トイレの挿入体を示す概略平面図である。
【図５】図５は本実施例に係る強化段ボール製の簡易トイレの挿入補助体を示す概略平面図である。
【図６】図６は本実施例に係る強化段ボール製の簡易トイレにおける簡易トイレ本体の組み立て工程を示す概略斜視図である。
【図７】図７は本実施例に係る強化段ボール製の簡易トイレの内装体の組み立て工程を示す概略斜視図である。
【図８】図８は本実施例に係る強化段ボール製の簡易トイレにおける内装体を簡易トイレ本体内に装着する状態を示す概略斜視図である。
【図９】図９は本実施例に係る強化段ボール製の簡易トイレにおける内装体と簡易トイレ本体との組み付け態を示す概略斜視図である。
【図１０】図１０は本実施例に係る強化段ボール製の簡易トイレを構成する強化段ボール素材の端面の概略説明図である。
【考案を実施するための形態】
【００１３】
本考案は、緊急時対策物資でありながら外観体裁が良好であり、かつ、使用時の着座安定性を有し、更に構成要素点数が少なく、組み立て、分解が簡略容易である強化段ボール製の簡易トイレを実現し提供するという目的を、強化段ボール製の簡易トイレであって、四角形状の前片と、この前片の両側に折り曲げ可能に設けた高さ寸法が前記前片の高さ寸法よりも大きい四角形状の一対の側片と、前記前片の上辺に対し折り曲げ可能に設けた四角形状で中央部に排便用開口部を設け、この排便用開口部の周縁部に排便収納袋係止用の複数の凹溝穴を間隔を隔てて設けた便座内蓋片と、を具備するトイレ外装体と、上部を円弧状とした略四角形状に形成され、前記トイレ外装体の一対の側片を折り曲げた状態でその各端縁に当接させるとともに面ファスナーからなる小片を取り付けた背板片と、前記背板片の両側辺に各々折り曲げ可能に設けられ、面ファスナーからなる小片を用いて前記一対の側片に各々仮止めされる一対の添着片と、を具備する背面体と、を具備し、前記一対の添着片を前記一対の側片の各外面に添着し仮止めすることにより構成した略直方体筒状のトイレ本体と、両側の側片部に側方に各々突出する一対の当接片を設けた四角形状の挿入背板片と、前記挿入背板片の上辺に折り曲げ可能に設けられ、前記背板片の面ファスナーからなる小片に接合する面ファスナーからなる小片を備えた外蓋片と、前記挿入背板片の両側辺に対し折り曲げ可能に設けた四角形状の一対の挿入側片と、を具備する挿入体と、前記一対の挿入側片を折り曲げ平行にした状態で、一対の挿入側片間に配置する長方形状の挿入片部と、挿入片部の両側方に突出させ、前記トイレ外装体の一対の側片内壁に当接させる一対の挿入当接片部とを具備する挿入補助体と、を具備し、前記挿入体に挿入補助体を差し込み結合して構成した略直方体筒状の内装体と、を有し、前記内装体をトイレ本体内に装着して組み付けることにより、座部となるとともに排便収納袋を係止可能な排便用開口部を具備する前記便座内蓋片を平坦配置に備え、この便座内蓋片の両側を上方に突出するトイレ外装体の一対の側片により、後部を上方に突出する前記背板片により囲み、前記便座内蓋片の上側を閉塞するとともに、前記前記背板片に仮止め可能な外蓋片を開閉可能に備える構成により実現した。
【実施例】
【００１４】
以下、本考案の実施例に係る強化段ボール製の簡易トイレについて図１乃至図１０を参照して詳細に説明する。
本実施例に係る強化段ボール製の簡易トイレ１は、図１に示すように、トイレ外装体１１と背面体２１とにより簡易トイレ本体２を構成し、この簡易トイレ本体２内に挿入体３１と挿入補助体４１とにより構成した内装体３０を組み込むことにより構成している。
【００１５】
また、前記強化段ボール製の簡易トイレ１を構成するための強化段ボール素材５１としては、図１０に示すように、平板状の４枚のライナー５２と、端面が波形状の３枚の中芯５３とを、前記各中芯５３が各ライナー５２で挟まれるように重合した中芯３層構造とした例を挙げることができる。
【００１６】
本実施例においては、強化段ボール素材５１を用意し、図示していないがコンピュータ制御のカッタ装置又はプレス（裁断機）で裁断、加工して、トイレ外装体１１、背面体２１、挿入体３１及び挿入補助体４１を各々形成するものである。
【００１７】
前記トイレ外装体１１は、図２に示すように、四角形状の前片１２と、この前片１２の両側に折り曲げ可能に設けられ、各々の外面側に面ファスナーからなる小片Ｆを２個ずつ取り付けた高さ寸法が前記前片１２の高さ寸法よりも大きく、また、前記前片１２側のコーナー部分を丸めた一対の側片１３、１３と、前記前片１２の上辺に対し折り曲げ可能に設けた四角形状で中央部に排便用開口部１５を設けるとともに、この排便用開口部１５の周縁部に、例えばビニール袋などからなる排便収納袋Ｐ係止用の例えば４個の凹溝穴１６を間隔を隔てて設けた便座内蓋片１４と、前記前片１２と便座内蓋片１４との折り込みライン中央部に設けた差し込み受穴１７と、前記便座内蓋片１４の突出側の辺部に対して折り曲げ可能に設けた長方形状の便座内蓋片用止片１８と、前記便座内蓋片１４と便座内蓋片用止片１８との折り曲げライン中央に設けた受穴１９と、前記便座内蓋片用止片１８の突出側の辺部に所定の間隔で設けた一対の差し込み用凹溝穴２０と、を具備している。
【００１８】
前記背面体２１は、図３に示すように、上部を円弧状とした略四角形状に形成され、前記トイレ外装体１１の一対の側片１３、１３を９０度折り曲げた状態で前記一対の側片１３、１３の端縁に当接させるとともに、前記トイレ外装体１１に対面させる面の中央上部に取り付けた例えば面ファスナーからなる小片Ｆを取り付けた背板片２２と、前記背板片２２の両側辺に各々折り曲げ可能に設けられ、９０度折り曲げた状態で前記トイレ外装体１１の一対の側片１３、１３の各外面に内面側を添着させる長方形状で前記側片１３と同一の高さ寸法の一対の添着片２３、２３と、前記一対の添着片２３、２３の各内面に各々２個ずつ取り付けられ、前記トイレ外装体１１の一対の側片１３、１３に取り付けた面ファスナーからなる小片Ｆと接合して前記一対の添着片２３、２３を各々前記トイレ外装体１１に仮止めする面ファスナーからなる小片Ｆと、を具備している。
【００１９】
上述したトイレ外装体１１と、背面体２１とを組み上げることにより簡易トイレ本体２を構成するものである。
【００２０】
前記挿入体３１は、図４に示すように、両側の側片部に側方に各々突出する一対の当接片３３、３３を設けた四角形状の挿入背板片３２と、前記挿入背板片３２の上辺に折り曲げ可能に設けた四角形状で突出側の辺部中央に前記トイレ外装体１１の差し込み受穴１７に差し込む差し込み片３４を突設した外蓋片３５と、前記外蓋片３５を折り曲げない状態で外面となる面部の略中央部に取り付けた前記背板片２２に設けた面ファスナーからなる小片Ｆに接合させる面ファスナーからなる小片Ｆと、前記挿入背板片３２の両側辺に対し折り曲げ可能に設けた四角形状の一対の挿入側片３６、３６と、前記一対の挿入側片３６、３６の各上辺における前記挿入背板片３２に近い位置に対称配置に設けられ、前記便座内蓋片用止辺１８に所定の間隔で設けた差し込み用凹溝穴２０と嵌め合わされる一対の受凹溝穴３７と、前記一対の挿入側片３６、３６の各上辺における突出端に近い位置に対称配置に設けた一対の突出端側受凹溝穴３８と、を具備している。
【００２１】
前記挿入補助体４１は、図５に示すように、平板状で、前記一対の挿入側片３６、３６を９０度折り曲げ平行にした状態で、一対の挿入側片３６、３６間に配置する長方形状の挿入片部４２と、この挿入片部４２と一体形成されるとともに、挿入片部４２の両側方に突出させ、前記トイレ外装体１１の一対の側片内壁に当接させる長方形状で側辺寸法が前記挿入片部４２より小さい一対の挿入当接片部４３、４３と、挿入片部４２と一対の挿入当接片部４３、４３との各境界部分に側辺方向に設けた前記各突出端側受凹溝穴３８に嵌め合わされる一対の差し込み用凹溝穴４４、４４と、を具備し、全体として略Ｔ状に形成している。
【００２２】
上述した挿入体３１と挿入補助体４１とを組み上げることにより、内装体３０を構成するものである。
【００２３】
なお、図２乃至図５において、丸穴内の複数の縦線又は横線は、前記中芯５３の波目方向を示すものである。
【００２４】
次に、本実施例に係る強化段ボール製の簡易トイレ１の組み立て工程について、図６乃至図８を参照して説明する。
【００２５】
（簡易トイレ本体２の組み立て）
まず、図６に示すように、前記トイレ外装体１１の一対の側片１３、１３を折り曲げ互いに平行になるようにする。
【００２６】
次に、背板片２２を前記一対の側片１３、１３の端縁に当接させ、更に一対の添着片２３、２３を各々折り曲げて一対の側片１３、１３の外面に添着し、側片１３に取り付けた小片Ｆと添着片２３に取り付けた小片Ｆとを接合して、背板片２２をトイレ外装体１１と一体化し簡易トイレ本体２とする。
【００２７】
このとき、前記便座内蓋片１４は折り曲げない状態のままとすることにより、簡易トイレ本体２内部に内装体３０挿入用の略長方体状の空間が形成される。
【００２８】
（内装体３０の組み立て）
次に、図７に示すように、前記挿入体３１の挿入背板片３２に対して一対の挿入側片３６、３６を９０度折り曲げ、互いに平行になるようにする。
【００２９】
また、一対の当接片３３、３３は、挿入背板片３２の両側辺から側方に突出させたままの状態とする。
【００３０】
次に、前記一対の挿入側片３６、３６の各上辺における突出端に近い位置に対称配置に設けた上向きの一対の突出端側受凹溝穴３８と、挿入補助体４１における下向きの一対の差し込み用凹溝穴４４、４４とを差し込み連結して、挿入補助体４１を挿入体３１に一体化し内装体３０とするとともに一対の挿入当接片部４３、４３を前記一対の挿入側片３６、３６の側方に突出させた状態とする。
【００３１】
これにより、前記内装体３０内には、排便収納袋Ｐを収納するための略長方体状の空間が形成される。
【００３２】
次に、図８に示すように、前記内装体３０を例えば床上に配置した簡易トイレ本体２の上方からその内部の挿入用の空間に底部が床に到達するまで挿入する。
【００３３】
次に、簡易トイレ本体２の前記便座内蓋片１４を図９に示す矢印ａ方向に折り曲げ、更に、便座内蓋片用止片１８を折り曲げて一対の差し込み用凹溝穴２０と前記一対の挿入側片３６、３６に設けた一対の受凹溝穴３７、３７とを、各々差し込み連結し、前記便座内蓋片１４を簡易トイレ本体２内で平坦な状態にセットする。
【００３４】
これにより、簡易トイレ本体２内部に使用者が着座かので、かつ、排便用開口部１５を有する便座内蓋片１４を備えた強化段ボール製の簡易トイレ１の組み立てが終了する。
【００３５】
このとき、外蓋片３５の小片Ｆを前記背板片２２の小片Ｆに接合し仮止めすることにより、外蓋片３５を起立状態に維持することができる。
【００３６】
実際の使用に際しては、排便用開口部１５の４個の凹溝穴１６に対して、図９に示す排便収納袋Ｐの開口辺側の部分を係止して、この排便収納袋Ｐ内に排便を収納するものである。そして、使用後排便収納袋Ｐ内に凝固剤を投入し、そのまま廃棄することも可能となる。
【００３７】
本実施例に係る強化段ボール製の簡易トイレ１によれば、前記外蓋片３５を図９に示す矢印ｂ方向に折り曲げ、差し込み片３４を前記トイレ外装体１１の差し込み受穴１７に差し込むことにより、図１に示すように、外蓋片３５により排便用開口部１５を有する便座内蓋片１４の上面を完全に覆った状態とすることができ、この場合には、簡易な椅子として利用できるという利点も存する。
【００３８】
また、本実施例に係る強化段ボール製の簡易トイレ１によれば、便座内蓋片１４の両側は、上方に突出するトイレ外装体１１の一対の側片１３、１３により囲まれ、後部は上方に突出する前記背板片２２により囲まれるので、椅子として利用する場合の着座安定性を得ることができ、緊急時対策物資でありながら外観体裁が良好であるという利点も有するものである。
【００３９】
なお、本実施例に係る強化段ボール製の簡易トイレ１においては、排便収納袋Ｐが無いような場合には、前記内装体３０内の空間に例えば図示しないがバケツ容器等を入れた代用措置を講じることもできる。
【００４０】
更に、緊急時には簡易トイレ１自体を例えば下水のマンホールを開けた開口部分に設置して使用に供することも可能である。
【００４１】
以上説明したように、本実施例に係る強化段ボール製の簡易トイレ１によれば、緊急時対策物資でありながら外観体裁が良好であり、かつ、使用時の着座安定性を有するという顕著な効果を奏するものである。
【００４２】
更に構成要素点数がトイレ外装体１１、背面体２１、挿入体３１及び挿入補助体４１かになるものであるから、構成要素点数が少なく、従来の合成樹脂製の簡易トイレ等比べ安価に製造でき、組み立て、分解も簡略容易であり、緊急用被災物資として備蓄する場合にも、積層収納の簡略化、保管場所の省スペース化を図ることができ、加えて廃棄処分も簡単で再資源利用も可能になる等優れた効果を発揮するものである。
【産業上の利用可能性】
【００４３】
本考案の強化段ボール製の簡易トイレは、震災発生時における各種避難場所、多数の人々が集める各種イベント会場、各種工事現場等への設置用、自動車等における渋滞対策用備品等として広範に利用可能である。
【符号の説明】
【００４４】
１    強化段ボール製の簡易トイレ
２    簡易トイレ本体
１１    トイレ外装体
１２    前片
１３    側片
１４    便座内蓋片
１５    排便用開口部
１６    凹溝穴
１７    受穴
１８    便座内蓋片用止片
１９    受穴
２０    差し込み用凹溝穴
２１    背面体
２２    背板片
２３    添着片
３０    内装体
３１    挿入体
３２    挿入背板片
３３    当接片
３４    差し込み片
３５    外蓋片
３６    挿入側片
３７    受凹溝穴
３８    突出端側受凹溝穴
４１    挿入補助体
４２    挿入片部
４３    挿入当接片部
４４    差し込み用凹溝穴
５１    強化段ボール素材
５２    ライナー
５３    中芯
Ｆ    小片
Ｐ    排便収納袋
【図１】
0003177324.tif 000003
【図２】
0003177324.tif 000004
【図３】
0003177324.tif 000005
【図４】
0003177324.tif 000006
【図５】
0003177324.tif 000007
【図６】
0003177324.tif 000008
【図７】
0003177324.tif 000009
【図８】
0003177324.tif 000010
【図９】
0003177324.tif 000011
【図１０】
0003177324.tif 000012